(57)【要約】積層紙（１０）の一端部を接合して、冊子を形成する製本器具（１）である。この製本器具は、作業台上面に載置される。そして、その加圧面（２０）間の隙間に積層紙が投入される。投入された積層紙は、その一端部または他端部が揃えられるとともに、一端部が所定長さだけ加圧面から突出される。この状態で、一端部が積層紙の積層方向に締め付けられる。これにより、積層紙は、一端部が所定長さだけ加圧面から突出した状態で、作業台上面で安定して挟持される。このため、積層紙の一端部の加工が容易になり、手間と熟練を要さずに接着強度が大きく、かつ外観に優れた冊子を形成することができる。
2005005158.tif 000002
【特許請求の範囲】
【請求項１】
複数の紙片を積層してなる積層紙の一端部を接合して、冊子を形成する製本器具であって、
前記積層紙の一端部よりも長い直線状であってこの一端部を着脱可能に挟み込む一対の加圧面を形成するとともに、作業台上面に垂直的に載置される一対の挟持部材と、
この一対の加圧面間の隙間を増減させるとともに、前記積層紙の一端部を前記積層紙の積層方向に締め付ける締付手段と、
前記積層紙の一端部または他端部を揃えるとともに、この一端部を所定長さだけ前記加圧面から突出させる突出手段と
前記積層紙の一端部以外の一部分に当接することにより、この積層紙の弛みを防止する弛み防止手段と
を備えることを特徴とする製本器具。
【請求項２】
請求の範囲１に記載の製本器具において、
前記積層紙の一端部と他端部との間に形成される側面に当接することにより前記積層紙を係止するとともに、この側面を含む側端部を揃える側端整列部を備えることを特徴とする製本器具。
【請求項３】
請求の範囲１に記載の製本器具において、
前記加圧面と前記作業台上面との距離、または前記積層紙の一端部と前記作業台上面との距離を調節することにより、前記積層紙の一端部が前記加圧面から突出する突出長さを調節する突出長さ調節手段を備えることを特徴とする製本器具。
【請求項４】
請求の範囲１に記載の製本器具において、
前記積層紙の他端部と前記作業台上面との距離を変更することにより、用紙サイズの異なる冊子を形成することができる用紙サイズ可変手段を備えることを特徴とする製本器具。
【請求項５】
請求の範囲１に記載の製本器具において、
前記一対の挟持部材は、
前記作業台上面と接してこの一対の挟持部材をこの作業台上面に立たせる主足部を有する本体部材と、
この本体部材により支えられるとともに、前記一対の加圧面間の隙間の増減に伴い前記本体部材への離接方向に移動する移動部材と
を有することを特徴とする製本器具。
【請求項６】
請求の範囲５に記載の製本器具において、
前記主足部は、前記本体部材の移動部材側および反移動部材側に伸び、
反移動部材側への伸び長さをＬ、この製本器具の高さをＨとしたとき、以下の関係を満たすことを特徴とする製本器具。
Ｌ／Ｈ≧１／２０
【請求項７】
請求の範囲１に記載の製本器具において、
前記積層紙の一端部と他端部との間に形成される側面に当接することにより前記積層紙を係止するとともに、この側面を含む側端部を揃える側端整列部と、
前記加圧面と前記作業台上面との距離、または前記積層紙の一端部と前記作業台上面との距離を調節することにより、前記積層紙の一端部が前記加圧面から突出する突出長さを調節する突出長さ調節手段と、
前記積層紙の他端部と前記作業台上面との距離を変更することにより、用紙サイズの異なる冊子を形成することができる用紙サイズ可変手段とを備え、
前記一対の挟持部材は、前記作業台上面と接してこの一対の挟持部材をこの作業台上面に立たせる主足部を有する本体部材と、この本体部材により支えられるとともに、前記一対の加圧面間の隙間の増減に伴い前記本体部材への離接方向に移動する移動部材とを有すること
を特徴とする製本器具。
【請求項８】
請求の範囲１に記載の製本器具を用いた製本方法において、
前記積層紙の一端部を、前記突出手段により所定長さだけ前記加圧面から突出させた状態で、前記一対の加圧面で挟持させ、
前記加圧面から突出された前記積層紙の一端面を、所定の工具で擦って毛羽立たせ、
毛羽立った一端面に接着剤を塗布して前記積層紙の一端部を接合する製本方法。
【請求項９】
請求の範囲８に記載の製本方法において、
前記接着剤を塗布された一端面をたたいて、前記積層紙をなす紙片間に前記接着剤を浸透させることを特徴とする製本方法。
【請求項１０】
請求の範囲８に記載の製本方法において、
前記一端面に塗布した接着剤が半乾きの状態で、前記一対の加圧面により前記積層紙の一端部を前記積層紙の積層方向に締め付けることを特徴とする製本方法。
【発明の詳細な説明】
【技術分野】  本発明は、複数の紙片を積層してなる積層紙の一端部を接合して、冊子を形成する製本器具およびこれを用いた製本方法に関する。
【背景技術】  近年、ワープロや複写機の普及に伴い、学校のゼミ、趣味のサークルなどでは、数十冊以下の少ない部数の冊子を発行する機会が多くなっている。このような冊子を、ホッチキスや製本テープを用いて作ると、コストを低くすることはできるが、見栄えがよくない。しかし、製本業者に発注すると見栄えはよくなるが、部数が少ないので一冊あたりの製本コストが割高になる。一方、実公平７−２６１３４号公報には、折り丁を用いて糸綴じ製本により豪華本を作る道具が考案されているが、折り丁作製、および糸綴じには手間と熟練を要する。このため、この道具は上記のような機会に初心者が簡単に扱える道具ではない。
また、実公平７−２６１３４号公報の図面に記載の道具によると、補助板または締板が、積層紙の接合される一端部（背側端部）以外の全部分に当接することにより、積層紙が弛むのを防止している。しかし、背側端部以外の全部分に当接すると、用紙の側面に力を及ぼして、この側面を含む側端部を揃えることが極めて困難になる。このため、側面の見栄えをよくするためには、製本後、この側面を含む側端部を裁断して揃える必要がある。
また、実公平７−２６１３４号公報の図面に記載の道具によると、所定の用紙サイズよりも小さい用紙では、背側端部が補助板や締板の加圧面から突出しなくなるので、背側端部を加工することができない。逆に、所定の用紙サイズよりも大きい用紙では、補助板や締板の加圧面から突出する部分が大きくなるので、背側端部を安定して加工することができない。
本発明の目的は、側面を含む側端部を裁断することなく綺麗に揃えるとともに、折り込んでいない用紙の無線綴じ製本が可能であって、手間と熟練が不要である製本器具およびこれを用いた製本方法を提供することにある。さらに、用紙サイズを変更しても、側面を含む側端部を綺麗に揃えることができる製本器具およびこれを用いた製本方法を提供することにある。
【発明の開示】
［請求の範囲１の発明］
請求の範囲１に記載の発明によれば、一対の加圧面を形成した一対の挟持部材が、作業台上面に垂直的に載置される。そして、一対の加圧面間の隙間に積層紙が投入される。投入された積層紙は、突出手段によって一端部または他端部が揃えられるとともに、一端部が所定長さだけ加圧面から突出される。この状態で積層紙の一端部は、締付手段により積層方向に締め付けられる。
これにより、積層紙の一端部または他端部が揃えられるとともに一端部が所定長さだけ加圧面から突出された状態で、作業台上で安定して挟持される。このため、折り込んでいない用紙または折り丁にかかわらず、積層紙の一端部の加工が容易になり、手間と熟練を要さずに接着強度が大きく、かつ見栄えのよい冊子を形成することができる。また、締付手段を緩めれば加圧面間の隙間が増えるので、積層紙の整理、取出しも容易に行うことができる。
また、弛み防止手段が、この積層紙に当接することにより、この積層紙の弛みを防止している。
これにより、積層紙は、一対の加圧面間の隙間に投入されても弛まないので、そのまま、締付手段で挟み込むことができる。すなわち、積層紙の腹面または背面を作業台上面に突き合わせて、積層紙を作業台上面に対し垂直に立てようとすると重力により腰折れ、すなわち弛みが生じる。このため、積層紙を一対の加圧面間に投入した後、弛みを修正する必要が生じる。しかし、弛み防止手段により弛みが防止されるので、積層紙を一対の加圧面間に投入した後、そのまま締付手段で挟み込むことができる。なお、このような効果は積層紙の一端部（背側端部）以外の大部分が加圧面より上側に配置される背揃えを行う場合に極めて有効である。
また、弛み防止手段は、積層紙の一端部以外の一部分に当接することにより、積層紙の弛みを防止している。
これにより、積層紙の他端部や側端部において、弛み防止手段に当接されない部分を生じさせることができる。このため、他端部に含まれる他端面や、側端部に含まれる側面をたたいたり、押したりすることができる。よって、弛み防止手段を備える製本器具でも、積層紙の他端面や側面に力を及ぼすことにより、積層紙を綺麗に整列させることができる。なお、この効果は、用紙サイズを変更して製本を行う場合に、特に有効である。すなわち、用紙サイズが小さくなっても、他端面や側面をたたいたり、押したりして積層紙を綺麗に整列させることができる（図３、図４（ａ）、および図１０参照）。
［請求の範囲２の発明］
請求の範囲２に記載の発明によれば、側端整列部は、積層紙の一端部と他端部との間に形成される側面に当接することにより積層紙を係止するとともに、この側面を含む側端部を揃える。
これにより、加圧面間に積層紙を投入後、この積層紙の側端部を綺麗に整列させる作業が容易になる。
［請求の範囲３の発明］
請求の範囲３に記載の発明によれば、突出長さ調節手段が、加圧面と作業台上面との距離、または積層紙の一端部と作業台上面との距離を調節することにより、積層紙の一端部が加圧面から突出する突出長さを調節する。
これにより、所望の接着強度、積層紙の厚み、紙の特性、および接着剤の特性などに応じて、突出長さを調節することができる。
［請求の範囲４の発明］
請求の範囲４に記載の発明によれば、用紙サイズ可変手段は、積層紙の他端部と作業台上面との距離を変更することにより、用紙サイズの異なる冊子を形成することができる。
これにより、１台の製本器具で、特定サイズの冊子（例えば、Ａ４縦綴じサイズ）だけでなく、他のサイズの冊子（例えばＢ５、Ａ５縦綴じサイズなど）も形成することができる。
［請求の範囲５の発明］
請求の範囲５に記載の発明によれば、一対の挟持部材は、主足部を有する本体部材と、この本体部材により支えられるとともに、この本体部材への離接方向に移動する移動部材とを有する。そして、本体部材の主足部が作業台上面と接してこの一対の挟持部材をこの作業台上面に立たせるとともに、移動部材が一対の加圧面間の隙間の増減に伴い本体部材への離接方向に移動する。
これにより、一対の挟持部材を作業台上面に立たせたまま、締付手段による積層紙の一端部の締付を行うことができる。
［請求の範囲６の発明］
請求の範囲６に記載の発明によれば、主足部は、本体部材の移動部材側および反移動部材側に伸びている。また、反移動部材側への伸び長さをＬ、製本器具の高さをＨとしたとき、以下の関係を満たす。
Ｌ／Ｈ≧１／２０
これにより、製本器具は、締付作業その他の作業中も作業台上面に安定して立つことができる。
［請求の範囲７の発明］
請求の範囲７に記載の発明によれば、請求の範囲１ないし６の全ての効果を備えた製本器具を提供することができる。
［請求の範囲８の発明］
請求の範囲８に記載の発明によれば、積層紙の一端部を突出手段により所定長さだけ加圧面から突出させた状態で一対の加圧面で挟持させ、加圧面から突出された積層紙の一端面を、所定の工具で擦って毛羽立たせ、毛羽立った一端面に接着剤を塗布して積層紙の一端部を接合する。
これにより、積層紙をなす紙片同士が、接着剤を介して強固に接合することができる。
［請求の範囲９の発明］
請求の範囲９に記載の発明によれば、接着剤を塗布された積層紙の一端面をたたいて、積層紙をなす紙片間に接着剤を浸透させる。
これにより、積層紙をなす紙片間への接着剤の浸透が深くなるので、さらに接着強度を増大させることができる。
［請求の範囲１０の発明］
請求の範囲１０に記載の発明によれば、積層紙の一端面に塗布した接着剤が半乾きの状態で、一対の加圧面により積層紙の一端部を積層紙の積層方向に締め付ける。
これにより、接着剤の塗布に伴って積層方向に拡大した積層紙の一端部の厚さを、元に戻すとともに接着強度を増大させることができる。
【図面の簡単な説明】  図１は、実施形態の製本器具の斜視図である。
図２は、実施形態の製本器具の分解斜視図である。
図３は、実施形態の製本器具にスペーサを挿入して、腹揃えを行う状態を示す斜視図である。
図４は、（ａ）が実施形態の製本器具の用紙サイズ可変状態を示す左側面図であり、（ｂ）が実施形態のスペーサの斜視図である。
図５は、（ａ）が実施形態の製本器具の突出長さ調節状態を示す左側面図であり、（ｂ）が実施形態のスペーサの裏面を示す斜視図である。
図６は、積層紙の背面に溝を付ける工程を示す斜視図である。
図７は、積層紙の背面に接着剤を塗布する工程を示す斜視図である。
図８は、（ａ）が半乾き状態の背側端部を挟み込む工程を示す全体斜視図であり、（ｂ）が挟み込みの状態を示す部分拡大図である。
図９は、（ａ）がデバイダにより背表紙に線引きする工程を示す斜視図であり、（ｂ）がデバイダにより背側端部の厚さを測る工程を示す斜視図である。
図１０は、実施形態の製本器具を倒立して、背揃えを行う状態を示す斜視図である。
図１１は、実施形態の製本器具を９０°回転させて載置させ、製本を行う状態を示す斜視図である。
図１２は、（ａ）が研磨具により背面を毛羽立たせる工程を示す全体斜視図であり、（ｂ）が毛羽立った背面を示す部分拡大図である。
図１３は、数冊分の積層紙の背面に接着剤を塗布した後、冊子ごとに分割する工程を示す斜視図である。
図１４は、変形例の製本器具の斜視図である。
図１５は、変形例の製本器具の斜視図である。
図１６は、変形例の締付手段の分解斜視図である。
【発明を実施するための最良の形態】［実施形態の構成］
実施形態の製本器具１は、複数の紙片を積層してなる積層紙１０の一端部を接合して、冊子を形成する器具である。ここで、図６ないし図９に示すごとく、接着剤等で接合され背表紙１１が貼り付けられる積層紙１０の一端部を背側端部１２と呼ぶ。また、接着剤等で接合されず冊子の見開き部をなす積層紙１０の他端部を腹側端部１３と呼ぶ。さらに、背側端部１２の一部をなす積層紙１０の一端面であって、鋸状ヤスリ１４で溝１５を付けられて接着剤等を塗布される部分を背面１６と呼ぶ。また、腹側端部１３の一部をなす積層紙１０の他端面であって、見開き面を形成する部分を腹面１７と呼ぶ。なお、実施形態では背表紙１１を背面１６に貼り付ける際に、デバイダ１８を専用工具として用いる。
製本器具１は、図１および図２に示すごとく、積層紙１０の背側端部１２を加圧面２０により挟持する一対の挟持部材２、この挟持部材２とは別体であって突出手段の一部をなすスペーサ３、および背側端部１２を積層紙１０の積層方向に締め付ける締付手段４から構成されている。ここで突出手段とは、ヤスリがけや接着剤塗布などが施される積層紙１０の背側端部１２を所定の長さだけ、加圧面２０から突出させる手段をいう。
挟持部材２は、図２に示すごとく本体部材２１と移動部材２２とからなる一対の挟持部材２である。本体部材２１は、主足部２３、２４を有して、直接、作業台上面に垂直的に載置される。移動部材２２は、締付手段４を介してこの本体部材２１により支えられることにより、間接的に作業台上面に垂直的に載置される。また、この移動部材２２は、一対の加圧面２０間の隙間の増減に伴い、本体部材２１への離接方向に移動することができる。
この挟持部材２は、積層紙１０の背側端部１２を着脱可能に挟み込む加圧面２０と、挟持部材２を作業台上面に垂直的に載置させるとともに突出手段の一部をなす脚とを有する。なお、挟持部材２は、金属、木材、樹脂など、種々の材料により成形することができる。
加圧面２０は、製本器具１が作業台上面に載置されると作業台上面の面方向に対し平行に伸びる直線状をなしている（以後、作業台上面に対し平行な方向を水平方向と呼ぶ）。また、作業台上面に対し垂直な方向に所定の幅を有する帯状をなしている（以後、作業台上面に対し垂直な方向を垂直方向と呼ぶ）。この加圧面２０は、図２に示すごとく本体、移動部材２１、２２の両方に形成され、互いに向かい合うとともに一対の加圧面２０を形成している。
そして、図３ないし図５に示すごとく、この一対の加圧面２０間の隙間に積層紙１０が投入される。投入された積層紙１０は、締付手段４がこの隙間を狭めることにより、その積層方向に締め付けられて挟み込まれる。
加圧面２０の背面には、この加圧面２０を補強するための補強部材２５が取り付けられている。補強部材２５は、断面の一部が略コの字状をなす帯状部材であり、加圧面２０をなす部材との間に中空を形成している。これにより、締付手段４などによりかけられる応力が吸収され、加圧面２０の曲がり、亀裂などの損傷が防止される。
補強部材２５と加圧面２０をなす部材との水平方向両端には、締付手段４が加圧面２０に対し垂直に挿通される挿通穴２６が設けられている。また、本体部材２１の補強部材２５には、図４（ａ）および図５（ａ）に示すごとくバーリング加工が施されてフランジ部２７が形成され、上記の中空に内蔵されている。このフランジ部２７には、締付手段４が螺合するネジ穴（図示せず）が形成され挿通穴２６と連通している。
脚には、図３ないし図５に示すごとく積層紙１０の腹側端部１３を揃える腹揃えの際に作業台上面に立てられる主脚２８と、図１０に示すごとく背側端部１２を揃える背揃えの際に作業台上に立てられる補助脚２９とがある。
主脚２８は、図２に示すごとく本体、移動部材２１、２２両方の加圧面２０の垂直方向下端縁から延設され、互いに向かい合うとともに対をなしている。そして、挟持部材２が作業台上面に載置されると、加圧面２０と作業台上面との間に所定の距離を保持する。これにより、主脚２８は突出手段となる。すなわち、実施形態では、図４（ａ）に示すごとく、Ａ４縦綴じサイズの積層紙１０の背側端部１２を所定長さだけ加圧面２０の垂直方向上端縁から突出させることができる（以後、背側端部１２が突出している加圧面２０の端縁を突出端縁３０と呼び、背側端部１２が突出端縁３０から突出している長さを、突出長さと呼ぶ。また、用紙の長辺を背、腹側端部１２、１３とする場合を縦綴じサイズと呼び、用紙の短辺を背、腹側端部１２、１３とする場合を横綴じサイズと呼ぶ。）。なお、この場合、腹面１７は作業台上面に突き合わされ、作業台上面によって腹側端部１３が揃えられて、腹揃えが行われる。
この主脚２８は、図１に示すごとく、スペーサ３が挿入される切欠き３１を具備する短、長枝部３２、３３、短、長枝部３２、３３と加圧面２０の垂直方向下端縁とを連結する連結部３４、および挟持部材２を安定して立たせる主足部２３、２４からなる。
短、長枝部３２、３３は、図２に示すごとく、本体、移動部材２１、２２各々において連結部３４から二股に分岐した２つの枝部である。そして、互いに向かい合うとともに対をなしている。この短、長枝部３２、３３は、連結部３４が加圧面２０の水平方向の一端寄りに設けられることにより、長さが異なっている。すなわち、一方の枝部は、垂直下方、かつ加圧面２０の水平方向の一端に向かって延びる短枝部３２である。また、他方の枝部は、垂直下方、かつ加圧面２０の水平方向の他端に向かって延びる長枝部３３である（以後、加圧面２０において一端を左端、他端を右端と呼ぶ。また、左右方向はこれに従うものとする。）。これにより、短、長枝部３２、３３同士の間隔は、垂直下方に向かい水平方向に徐々に大きくなっている。
この短、長枝部３２、３３に、複数の切欠き３１が、短枝部３２と長枝部３３との間隔を挟むように向かい合って設けられている。この切欠き３１は、本体、移動部材２１、２２各々において同じ高さの位置に設けられ、本体、移動部材２１、２２間で互いに向かい合うとともに対をなしている。そして、この切欠き３１に、図２ないし図４に示すごとく、締付手段４による締付方向と同一方向にスペーサ３が挿入される。
実施形態の切欠き３１は、図４（ａ）に示すごとく、切欠き３１に挿入されたスペーサ３によってＡ４、Ｂ５、Ａ５、およびＢ６縦綴じサイズの積層紙１０の突出長さがすべて一定に保たれるような高さに設けられている。これにより、切欠き３１は用紙サイズ可変手段を構成する。用紙サイズ可変手段とは、加圧面２０間に投入された積層紙１０の腹側端部１３と作業台上面との距離を変更することにより、用紙サイズの異なる冊子を形成することができる手段である。
この用紙サイズ可変手段によれば、スペーサ３を挿入する切欠き３１を変更することにより、積層紙１０のサイズを変更できる。すなわち、突出長さを一定に保ちながらスペーサ３を保持する高さを変更することにより、用紙サイズの異なる冊子を形成することができる。なお、この場合、腹面１７はスペーサ３の腹面整列部３５に突き当たり、この腹面整列部３５によって腹側端部１３が揃えられて、腹揃えが行われる。
連結部３４は、図２に示すごとく、本体、移動部材２１、２２各々の加圧面２０の左端寄り下端から延設されている。そして、互いに向かい合うとともに対をなしている。本体部材２１の連結部３４には、図２に示すごとくその左端から加圧面２０に対し垂直となる方向に突設部３６が突設されている。
突設部３６の右側面は、加圧面２０および作業台上面に対して垂直な平面であり、側端整列部３７をなす。側端整列部３７とは、積層紙１０の背側端部１２と腹側端部１３との間に形成される側面の１つに当接することにより、積層紙１０を左右方向において係止するとともに、この側面を含む側端部を揃える部分である。これにより、図３または図４（ａ）に示すごとく、積層紙１０の左側面が側端整列部３７に突き当たるとともに、この左側面を含む左側端部が揃えられる。
なお、側端整列部３７は、挿通穴２６よりも右側に位置するように設けられている。これにより、図８（ａ）、（ｂ）に示すごとく積層紙１０の左側端部は、締付手段４と立体的に干渉することなく、側端整列部３７により揃えられる。
これら短、長枝部３２、３３、および連結部３４は、図３ないし図５に示すごとく加圧面２０と同一平面であって、積層紙１０の背側端部１２以外の部分を挟持する挟持面３８を有する。この挟持面３８は、互いに向かい合う一対の挟持面３８をなし、積層紙１０の弛みを防止する弛み防止手段を構成する。ここで弛み防止手段とは、加圧面２０間の隙間に投入された積層紙１０の背側端部１２以外の一部分に当接することにより積層紙１０の弛みを防止する手段である。
挟持面３８は、短、長枝部３２、３３、および連結部３４に応じた形状を有している。すなわち、挟持面３８は、左右方向に所定の幅を有して、加圧面２０の左寄り下端縁から下方に延び、所定の高さで左右の枝に分岐している。この左右の枝の間隔は垂直下方に向かい左右方向に徐々に大きくなっている。これにより、挟持面３８は、積層紙１０の背側端部１２以外の一部分に放射状に当接するとともに、積層紙１０が、加圧面２０よりも下側で弛むのを防止している。
また、挟持面３８を放射状に分岐した枝形状にすることにより、少ない量の材料で弛み防止手段を構成することができる。さらに、加圧面２０と長枝部３３との間に空隙が形成されるので、積層紙１０の用紙サイズを変更しても、その右側端部を押したり、たたいたりすることができる。すなわち、用紙サイズを変更しても、右側端部に力を及ぼして、側端整列部３７により左側端部を綺麗に整列させることができる。
なお、図１０に示すごとく背揃えの場合には、積層紙１０の背側端部１２以外の大部分が加圧面２０より上側に配置されるので、積層紙１０が弛みやすい。よって、弛み防止手段としての挟持面３８は、背揃えを行う場合に極めて有効である。また、背揃えの場合には腹面１７が上側に配置されるため、挟持面３８を放射状に分岐した枝形状にすることにより、腹面１７を押したり、たたいたりすることもできる。これにより背側端部１２をさらに綺麗に整列させることができる。
主足部２３、２４は、各々、図２に示すごとく本体部材２１の短、長枝部３２、３３の先端に設けられている。この主足部２３、２４は、一面部が作業台上面と面接する平坦面をなす板状部である。この主足部２３、２４は、ともに本体部材２１の移動部材２２側および反移動部材２２側の両方に伸びている。さらに、図４（ａ）に示すごとく、反移動部材２２側への伸び長さをＬ、製本器具１の高さをＨとしたとき、以下の関係を満たす。
Ｌ／Ｈ≧１／２０
これにより、挟持部材２は作業台上面に安定して立つことができる。
短枝部３２の主足部２３は、その右側縁部３９が、側端整列部３７とともに積層紙１０の側端部を揃える機能を有する。すなわち、図１１に示すごとく、図１に示す載置状態から半時計方向に９０°回転させた載置状態では、主足部２３の右側縁部３９が側端整列部３７とともに積層紙１０の下側端部を揃える。また、主足部２３の左側縁部４０は、作業台上面に接して、挟持部材２を作業台上面に立たせる機能を有する。すなわち、図１１に示すごとく、主足部２３の左側縁部４０が加圧面２０の左側縁部４１とともに作業台上面に接して、挟持部材２を作業台上面に立たせる。これにより、実施形態では、図１１に示すごとくＡ３横綴じサイズのような大きなサイズの積層紙１０を製本することもできる。
補助脚２９は、加圧面２０を含む部材の一部であり、図２に示すごとく加圧面２０の突出端縁３０の左右両端部から延設された板状部である。また、補助脚２９は、本体、移動部材２１、２２の両方に向かい合って設けられている。この一対の補助脚２９は、所定長さだけ垂直上方に向かって延びたところで互いに反対向きに直角に曲げられ、作業台上面に平行な平坦面を形成している。
そして、この平坦面が、図１０に示すごとく挟持部材２を作業台上面に倒立させた際に、作業台上面に面接する。これにより、突出端縁３０と作業台上面との間に所定の距離を保持するとともに、挟持部材２を安定して倒立させることができる。このため、補助脚２９は、積層紙１０の背面１６を作業台上面に突き合わせて背側端部１２を揃えるとともに、所定の長さだけ突出端縁３０から突出させることができる。すなわち、補助脚２９は突出手段となる。なお、補助脚２９を突出手段として用いる場合のように背揃えを行うときは、用紙サイズ可変手段を用いなくても、用紙サイズを任意に変更して積層紙１０の背側端部１２を揃えることができる。また、用紙サイズを任意に変更しても積層紙１０の左右側面に力を及ぼして左右側端部を綺麗に整列させることもできる。
また、加圧面２０左端側の補助脚２９の左側縁部は、図１１に示すごとく加圧面２０の左側縁部４１の一部をなし、作業台上面に接して、挟持部材２を作業台上面に立たせる機能を有する。
スペーサ３は、図３および図４（ａ）に示すごとく、腹揃えを行うとともに積層紙１０の背側端部１２が所定長さだけ突出端縁３０から突出するように加圧面２０と作業台上面との間に配置される突出手段である。また、実施形態では、図２および図４（ａ）に示すごとくＢ５、Ａ５およびＢ６縦綴じサイズの積層紙１０に対応した３つのスペーサ３が備えられている。これら３つのスペーサ３は、左右方向に異なる長さを有し、各々に対応した切欠き３１に挿入できる。これにより、スペーサ３は、用紙サイズ可変手段でもある。すなわち、挟持面３８が所定の高さで左右の枝に分岐し、この左右の枝の間隔が左右方向に徐々に大きくなっているような製本器具１でも、用紙サイズの異なる冊子を形成することができる。なお、このスペーサ３は、金属、木材、樹脂など、種々の材料により成形することができる。
個々のスペーサ３は、図４（ｂ）に示すごとく、矩形状の板状部材が長辺方向に直角に折り曲げられて、作業台上面と平行に配置される平行部と作業台上面に垂直に配置される垂直部とに分かれる。平行部の上側の平坦面は、図４（ａ）に示すごとく積層紙１０の腹面１７が突き当たるとともに腹側端部１３が揃えられる腹面整列部３５をなしている。垂直部は、切欠き３１にスペーサ３を挿入する際に挟持部材２に係止される係止部４２をなしている。
平行部の腹面整列部３５の裏面には、図５（ｂ）に示すごとく、厚さが均一な薄板４３が、切欠部３１と接触する左右両端を除いて取り付けられている。この薄板４３は、突出長さを調節する突出長さ調節手段である。ここで突出長さ調節手段とは、加圧面２０と作業台上面との距離、または積層紙１０の背側端部１２と作業台上面との距離を調節することにより突出長さを調節する手段である。
実施形態の突出長さ調節手段では、図５（ａ）に示すごとく、スペーサ３を裏返して切欠き３１に挿入することにより、突出長さを大きくしている。すなわち、積層紙１０の背側端部１２と作業台上面との距離を調節することにより突出長さを調節している。この場合、積層紙１０の腹面１７が薄板４３の表面に突き合わされるとともに腹側端部１３が揃えられる。これにより、図１２に示すごとく積層紙１０の厚みが大きい場合や、接着強度を大きくしたい場合などに突出長さを大きくして、接着剤をより深く紙片間に浸透させることができる。
締付手段４は、加圧面２０間の隙間を増減させるとともに、積層紙１０の背側端部１２を積層紙１０の積層方向に締め付ける手段である。実施形態の締付手段４は、図２および図４（ａ）に示すごとく、フランジ部２７のネジ穴と螺合するとともに挿通穴２６に挿通されるネジ４４と、このネジ４４に螺合する蝶ナット４５とからなる締付ネジである。また、ネジ４４の頭部および蝶ナット４５が当接する挟持部材２側の座面には、座金４６が配されている。そして、ネジ４４に螺合した蝶ナット４５が座金４６を介して移動部材２２を本体部材２１の方に押すことにより、加圧面２０間の隙間が狭められて積層紙１０の背側端部１２が締め付けられる。
〔実施形態の製本方法〕
実施形態の製本方法を図面に基づいて説明する。まず、図３ないし図５に示すごとく腹揃えを行う場合には、主足部２３、２４を作業台上面に面接させるとともに、製本器具１を作業台上面に垂直的に載置する。また、所望の用紙サイズに応じたスペーサ３を切欠き３１に挿入する。この際、積層紙１０の厚みなどに応じて、スペーサ３の腹面整列部３５側または薄板４３側のいずれを上向きにして挿入するかを決めておく（以下の説明では、腹面整列部３５を上向きにしている）。
そして、締付手段４の蝶ナット４５を緩めて、加圧面２０間の隙間を広げ、図３に示すごとく積層紙１０をこの隙間に投入する。これにより、積層紙１０の腹面１７がスペーサ３の腹面整列部３５に突き当たり、腹側端部１３が揃えられる。また、積層紙１０の右側面を軽く押して左側面を側端整列部３７に当接させ、積層紙１０を左右方向において係止する。これにより、積層紙１０の左側端部が揃えられる。さらに背面１６および右側面を軽くたたいて振動を与えることにより、積層紙１０は、綺麗に整列される。
そして、蝶ナット４５を回して加圧面２０間の隙間を狭め、積層紙１０の背側端部１２を締め付ける。これにより、背側端部１２は所定長さだけ突出端縁３０から突出された状態で、挟持部材２により挟持される。
次に、図６に示すごとく、背側端部１２の背面１６を鋸状ヤスリ１４で擦り、１ｃｍ程度の間隔で深さ１ｍｍ程度の溝１５を付ける。これにより、背面１６を溝部１５において毛羽立たせることができる。
次に、図７に示すごとく、背面１６に接着剤を塗布し、爪楊枝、綿棒、または割り箸などで背面１６の全面に強く塗りこむ。また、接着剤を塗布した背面１６をたたくことにより、積層紙１０をなす紙片間に接着剤を深く浸透させることができる。そして、接着剤が半乾きの状態になるまで待機する。急ぐ場合には、ドライヤなどの熱風をあてて乾燥速度を上げてもよい。なお、接着剤には、酢酸ビニル系樹脂などの水洗可能な水溶性接着剤を用いるのが好ましい。
次に、図８（ａ）、（ｂ）に示すごとく、蝶ナット４５を緩めて背側端部１２を加圧面２０間に引き込む。そして、再度、蝶ナット４５を回して、背側端部１２を積層紙１０の積層方向に締め付ける。これにより、接着剤の塗布に伴って積層方向に拡大した背側端部１２の厚さを元に戻すことができる。
次に、図９（ａ）、（ｂ）に示すごとく、背表紙１１を背側端部１２に取り付ける。まず、図９（ｂ）に示すごとく、デバイダ１８を用いて、接着剤による接合後の背側端部１２の厚さを測る。この背側端部１２の厚さの間隔を維持したデバイダ１８で、図９（ａ）に示すごとく、背面１６に表示される文字が中央に位置するように線引きする。このデバイダ１８による引き線に沿って背表紙１１を山折する。そして、背面１６や背表紙１１の裏面などに接着剤を塗布して、背表紙１１を背側端部１２に貼り付ける。
以上により、製本器具１を用いて積層紙１０が製本されるとともに、冊子が形成される。
背揃えを行う場合には、図１０に示すごとく、製本器具１を倒立させ、積層紙１０を挟持面３８間から投入する。これにより、積層紙１０の背面１６が作業台上面に突き当たり、背側端部１２が揃えられる。そして、積層紙１０を整列させて背側端部１２を締め付けた後、製本器具１を倒立状態から戻し同様の作業を行う。なお、背揃えの場合には、背面１６における紙片の突出状態にムラがない。このため、図１２（ａ）、（ｂ）に示すごとく背面１６全体を研磨具で擦って積層紙１０を積層方向に膨らませることができる。このような研磨具には、金属性ヤスリ、グラインダ、ブラシ、軽石、砥石などを用いることができる。
また、Ａ３横綴じサイズのような大きなサイズの積層紙１０の製本を行う場合にも、まず製本器具１を倒立させた状態で積層紙１０を挟持面３８間および加圧面２０間投入し背揃えを行って背側端部１２を締め付ける。次に図１１に示すごとく、背側端部１２を締め付けたまま製本器具１を、倒立状態から時計方向に９０°回転させた状態で作業台上面に載置する。この場合、製本器具１は、加圧面２０の左側縁部４１および主足部２３の左側縁部４０により作業台上面に立たせられている。そして、この状態で背面１６を毛羽立たせ接着剤の塗布を行う。
または、積層紙１０を加圧面２０間に投入する前から、図１１に示す状態で製本器具１を作業台上面に載置しておく。そして、この状態で、積層紙１０を加圧面２０間および挟持面３８間に投入する。これにより、積層紙１０の下側端部が、側端整列部３７および主足部２３の右側縁部３９により揃えられる。そして、背面１６および腹面１７を軽く押したり、たたいたりして突出長さを調節するとともに背側端部１２を揃える。その後、背側端部１２を締め付けて背面１６の加工を行う。
また、図１３に示すごとく、数冊分の積層紙１０をまとめて、背側端部１２を接合した後、各冊子に分割して背表紙１１を貼り付けることもできる。
〔実施形態の効果〕
実施形態の製本器具１は、作業台上面に垂直的に載置することができる。そして、加圧面２０間の隙間に積層紙１０が投入されると、その腹面１７がスペーサ３の腹面整列部３５、薄板４３の表面、または作業台上面のいずれかに突き当たるとともに、その腹側端部１３が揃えられる。また、背側端部１２は、所定の突出長さだけ突出端縁３０から突出した状態になる。この状態で背側端部１２が、積層紙１０の積層方向に締め付けられる。
また、製本器具１は作業台上面に倒立することもできる。この場合には、積層紙１０の背面１６が作業台上面に突き当たるとともに背側端部１２が揃えられる。同時に背側端部１２は所定の突出長さだけ突出端縁３０から突出した状態になる。この状態で背側端部１２が、積層紙１０の積層方向に締め付けられる。
これにより、積層紙１０は、背側端部１２または腹側端部１３が揃えられるとともに背側端部１２が所定長さだけ加圧面２０から突出された状態で、作業台上面で安定して挟持される。このため、積層紙１０の背側端部１２の加工が容易になり、手間と熟練を要さずに接着強度が大きく、かつ見栄えのよい冊子を形成することができる。また、締付手段４を緩めれば加圧面２０間の隙間が増えるので、積層紙１０の整理、取出しも容易に行うことができる。
実施形態の製本器具１は、主脚２８の挟持面３８が、積層紙１０の背側端部１２以外の部分に当接することにより、積層紙１０の弛みを防止している。
これにより、加圧面２０間に投入された積層紙１０が重力によって弛むのを防止することができる。特に、図１０に示すごとく背揃えの場合には、背側端部１２以外の大部分が加圧面２０より上側に配置されるので、積層紙１０が弛みやすい。よって、このような挟持面３８により弛みを防止することは、背揃えを行う場合に極めて有効である。
さらに、この挟持面３８は、積層紙１０の背側端部１２以外の一部分に放射状に当接する。
これにより、積層紙１０の腹側端部１３や側端部において、挟持面３８に当接されない部分が生じる。このため、腹面１７や側面をたたいたり、押したりすることができる。よって、製本器具１を用いれば、挟持面３８により積層紙１０の弛みを防止できるとともに、腹面１７や側面をたたいたり、押したりすることにより、積層紙１０を綺麗に整列させることができる。この効果は、図３、図４（ａ）、および図１０に示すごとく、用紙サイズを変更して製本を行う場合にも有効である。すなわち、用紙サイズが小さくなっても、積層紙１０の腹面１７や側面をたたいたり、押したりして積層紙１０を綺麗に整列させることができる。
実施形態の製本器具１は、主脚２８の連結部３４から突設された突設部３６の右側面が、側端整列部３７をなす。この側端整列部３７は、積層紙１０の左側面に当接することにより、積層紙１０を係止するとともに左側端部を揃える。
これにより、積層紙１０を加圧面２０間の隙間に投入した後、積層紙１０の側端部を綺麗に整列させる作業が容易になる。
実施形態の製本器具１は、スペーサ３の平行部の裏面に、薄板４３が取り付けられている。そして、積層紙１０の背側端部１２と作業台上面との距離を、薄板４３の厚さだけ大きくしたり、小さくしたりすることにより、突出長さを調節することができる。
これにより、接着強度、積層紙１０の厚み、紙の特性、および接着剤の特性などに応じて、突出長さを調節することができる。
実施形態の製本器具１は、主脚２８の短、長枝部３２、３３に設けられた切欠き３１に、締付手段４による締付方向と同一方向にスペーサ３を挿入することができる。また、この切欠き３１は、図４（ａ）に示すごとく、切欠き３１に挿入されたスペーサ３によってＡ４、Ｂ５、Ａ５、およびＢ６縦綴じサイズの積層紙１０の突出長さがすべて一定に保たれるような高さに設けられている。そして、スペーサ３を挿入する切欠き３１を変更することにより、積層紙１０の腹側端部１３と作業台上面との距離を変更することができる。
これにより、１台の製本器具で、特定サイズの冊子（Ａ４縦綴じサイズ）だけでなく、他のサイズの冊子（Ｂ５、Ａ５、およびＢ６縦綴じサイズ）も形成することができる。
実施形態の製本器具１は、一対の挟持部材２が、主足部２３、２４を有する本体部材２１と、この本体部材２１により支えられるとともに、この本体部材２１への離接方向に移動する移動部材２２とを有する。そして、主足部２３、２４が、作業台上面と接してこの一対の挟持部材２を作業台上面に立たせる。また、締付手段４により移動部材２２が本体部材２１の方に押されることにより、加圧面２０間の隙間が狭められて積層紙１０の背側端部１２が締め付けられる。
これにより、一対の挟持部材２を作業台上面に立たせたまま、締付手段４による背側端部１２の締付を行うことができる。
実施形態の製本器具１は、主足部２３、２４が、ともに本体部材２１の移動部材２２側および反移動部材２２側の両方に伸びている。さらに、図４（ａ）に示すごとく、反移動部材２２側への伸び長さをＬ、製本器具の高さをＨとしたとき、以下の関係を満たす。
Ｌ／Ｈ≧１／２０
これにより、製本器具１は、締付作業その他の作業中も作業台上面に安定して立つことができる。
実施形態の製本方法によれば、積層紙１０を、その背側端部１２が所定の突出長さだけ突出端縁３０から突出した状態で挟持する。そして、突出した背面１６を鋸状ヤスリ１４で擦って溝１５を付けるとともに、背面１６を溝部１５において毛羽立たせる。この毛羽立った背面１６に接着剤を塗布して積層紙１０の背側端部１２を接合する。
これにより、積層紙１０をなす紙片同士が、接着剤を介して強固に接合することができる。
実施形態の製本方法によれば、接着剤を塗布された積層紙１０の背面１６をたたいて、積層紙１０をなす紙片間に接着剤を浸透させる。
これにより、積層紙１０をなす紙片間への接着剤の浸透が深くなるので、さらに接着強度を増大させることができる。
実施形態の製本方法によれば、積層紙１０の背面１６に塗布した接着剤が半乾きの状態で、加圧面２０により背側端部１２を積層紙１０の積層方向に締め付ける。
これにより、接着剤の塗布に伴って積層方向に拡大した背側端部１２の厚さを、元に戻すとともに接着強度を増大させることができる。
〔変形例〕
本実施形態の製本器具１は、スペーサ３、主脚２８、および補助脚２９が突出手段であり、薄板４３が突出長さ調節手段であったが、図１４に示すような足ネジ４７または図１５に示すような帯板状のスペーサ３を突出手段に用いることもできる。
すなわち、図１４では、本体部材２１および移動部材２２の左右両端にネジ穴（図示せず）が設けられ、このネジ穴に足ネジ４７が螺合している。そして、挟持部材２間に投入された積層紙１０は、その背面１６が作業台上面に突き当たるとともに、所定の突出長さだけ突出端縁３０から突出した状態で作業台上面により背側端部１２が揃えられる。また、足ネジ４７をネジ穴から出し入れすることにより、加圧面２０と作業台上面との距離が調節されるとともに突出長さが調節される。これにより、ネジ４７が突出手段および突出長さ調節手段として機能する。また、この場合には、突出長さの微調整を行うこともできる。なお、この変形例では、弛み防止手段としての、挟持面３８は、放射状ではなく所定サイズの用紙よりも小さい矩形状である。
また、図１５では、主足部２３、２４の間に帯板状のスペーサ３が嵌挿されている。このスペーサ３は、その表裏両面に腹面整列部３５を備える。この腹面整列部３５に、積層紙１０の腹面１７が突き当たるとともに、背側端部１２が所定の長さだけ突出端縁３０から突出され、腹側端部１３が揃えられる。また、スペーサ３の左右端部には、上方に向けて延びる上桁４８、この上桁４８よりも短く下方に向けて延びる下桁４９が設けられている。このスペーサ３を、表裏、逆にして嵌挿することにより、突出長さが調節される。これにより、スペーサ３が突出手段として機能し、上桁４８および下桁４９が突出長さ調節手段として機能する。
本実施形態の製本器具１の締付手段４では、図２に示すごとく、ネジ４４のネジ部は周方向の全てにネジ山が設けられていたが、図１６に示すごとく、一部にネジ山がない平坦面５０を設けてもよい。これにより、移動部材２２の移動に伴う挿通穴２６の内周やネジ４４のネジ山の損傷を防止することができる。
本実施形態の製本器具１は、突出長さ調節手段としての薄板４３がスペーサ３に取り付けられていたが、薄板４３をスペーサ３に載置するようにしてもよい。この場合、薄板４３はスペーサ３に対して着脱可能となるので、厚さの異なる薄板４３を複数揃えておけば、突出長さの調節値を多くできる。
本実施形態の製本器具１は、折り込まれていない用紙からなる積層紙１０を用いて製本を行ったが、折り丁からなる積層紙を用いて製本を行うこともできる。また、本実施形態の製本器具１を用いれば、折り丁からなる積層紙の背側丸み付けや糸綴じなどの作業も安定して行うことができ、豪華本の製本にも適用できる。さらに本実施形態の製本器具１を用いれば、このような豪華本の製本においても、積層紙の側端部を揃えたり、弛みを防止したり、突出長さを調節したり、用紙サイズを変更したり、一対の挟持部材２を作業台上面に立たせたまま積層紙の一端部の締付を行うことができる。
本実施形態の製本器具１は、弛み防止手段である一対の挟持面３８が積層紙１０の背側端部１２以外の一部分に放射状に当接していたが、これに限定されるものではない。すなわち、積層紙１０の腹面１７や側面に力を及ぼすことができるように当接する形状であれば、これに限定されるものではない。例えば、格子状に当接してもよく、三角形、四角形状などの多角形状に当接してもよい。
本実施形態の製本器具１は、主にＡ４、Ｂ５、Ａ５、Ｂ６縦綴じの腹揃えに対応できるように寸法設計されているが、用紙サイズの需要に応じて寸法を自由に設計できる。
本実施形態の製本器具１は、締付手段４としてネジ４４や蝶ナット４５などによるネジ締め方式を用いたが、万力などを締付手段４として用いてもよい。また、圧力空気、油圧、電気などを動力源とする動力機構を締付手段４として用い、これらの動力機構を加圧面２０へリンクさせてもよい。
本実施形態の製本器具１は、用紙サイズ可変手段としてスペーサ３と、このスペーサ３が挿入される切欠き３１を用いたが、これに限定されるものではない。すなわち、加圧面２０に対して垂直な平面を有するとともに上下動可能な部材を製本器具１に備えさせてもよい。また、この部材とリンクするとともに、この部材を上下動させる動力機構を製本器具１に備えさせてもよい。この動力機構の動力源にも、人手以外に圧力空気、油圧、電気などを用いることができる。
本実施形態の製本器具１は、主に人手による製本を想定しているが、上記のような動力機構を備えさせることにより、製本業者などが量産に用いる製本機械への適用も可能である。この場合には、従来の製本機械で行われていた腹側端部１３や左右側端部の裁断が不要になる。すなわち、本実施形態の製本器具１を用いれば、積層紙１０の腹側端部１３や左右側端部を綺麗に整列させることができるので、従来の製本機械のように腹側端部１３や左右側端部を裁断して整列させる必要がない。
【産業上の利用可能性】  以上のように、本発明の製本器具は、複数の紙片を積層してなる積層紙の一端部を接合して冊子を形成する製本を行うのに有用であり、手間と熟練が不要で、数十冊以下の比較的少ない部数の製本を行うのに適している。
【図１】
2005005158.tif 000003
【図２】
2005005158.tif 000004
【図３】
2005005158.tif 000005
【図４】
2005005158.tif 000006
【図５】
2005005158.tif 000007
【図６】
2005005158.tif 000008
【図７】
2005005158.tif 000009
【図８】
2005005158.tif 000010
【図９】
2005005158.tif 000011
【図１０】
2005005158.tif 000012
【図１１】
2005005158.tif 000013
【図１２】
2005005158.tif 000014
【図１３】
2005005158.tif 000015
【図１４】
2005005158.tif 000016
【図１５】
2005005158.tif 000017
【図１６】
2005005158.tif 000018
【手続補正書】
【提出日】平成17年7月29日(2005.7.29)
【手続補正１】
【補正対象書類名】特許請求の範囲
【補正対象項目名】全文
【補正方法】変更
【補正の内容】
【特許請求の範囲】
【請求項１】
複数の紙片を積層してなる積層紙の一端部を接合して、冊子を形成する製本器具であって、
前記積層紙の一端部よりも長い直線状であってこの一端部を着脱可能に挟み込む一対の加圧面を形成するとともに、作業台上面に垂直的に載置される一対の挟持部材と、
この一対の加圧面間の隙間を増減させるとともに、前記積層紙の一端部を前記積層紙の積層方向に締め付ける締付手段と、
前記積層紙の一端部または他端部を揃えるとともに、この一端部を所定長さだけ前記加圧面から突出させる突出手段と
前記積層紙の一端部以外の一部分に当接することにより、この積層紙の弛みを防止する弛み防止手段と
を備え、
前記弛み防止手段は、
前記一対の加圧面の水平方向一端寄りの下端縁から延設されて二股に分岐し、前記積層紙の一端部以外の部分に放射状に当接する挟持面を有することを特徴とする製本器具。
【請求項２】
複数の紙片を積層してなる積層紙の一端部を接合して、冊子を形成する製本器具であって、
前記積層紙の一端部よりも長い直線状であってこの一端部を着脱可能に挟み込む一対の加圧面を形成するとともに、作業台上面に垂直的に載置される一対の挟持部材と、
この一対の加圧面間の隙間を増減させるとともに、前記積層紙の一端部を前記積層紙の積層方向に締め付ける締付手段と、
前記積層紙の一端部または他端部を揃えるとともに、この一端部を所定長さだけ前記加圧面から突出させる突出手段と
前記積層紙の一端部以外の一部分に当接することにより、この積層紙の弛みを防止する弛み防止手段と
を備え、
前記一対の挟持部材は、
前記一対の加圧面の水平方向両端の上端縁から延設されるとともに、前記作業台上面に平行な平坦面が形成され、この平坦面が前記作業台上面に面接することにより、前記一対の挟持部材を前記作業台上面に倒立させる補助脚を有することを特徴とする製本器具。
【請求項３】
複数の紙片を積層してなる積層紙の一端部を接合して、冊子を形成する製本器具であって、
前記積層紙の一端部よりも長い直線状であってこの一端部を着脱可能に挟み込む一対の加圧面を形成するとともに、作業台上面に垂直的に載置される一対の挟持部材と、
この一対の加圧面間の隙間を増減させるとともに、前記積層紙の一端部を前記積層紙の積層方向に締め付ける締付手段と、
前記積層紙の一端部または他端部を揃えるとともに、この一端部を所定長さだけ前記加圧面から突出させる突出手段と
前記積層紙の一端部以外の一部分に当接することにより、この積層紙の弛みを防止する弛み防止手段と
を備え、
前記一対の挟持部材は、
前記一対の加圧面が前記作業台上面の面方向に対し平行に伸びる載置状態から９０°回転された載置状態において、前記作業台上面に接して前記一対の挟持部材を前記作業台上面に立たせる側縁部を有することを特徴とする製本器具。
【請求項４】
請求項１ないし請求項３に記載の製本器具において、
前記積層紙の一端部と他端部との間に形成される側面に当接することにより前記積層紙を係止するとともに、この側面を含む側端部を揃える側端整列部を備えることを特徴とする製本器具。
【請求項５】
請求項１ないし請求項３に記載の製本器具において、
前記加圧面と前記作業台上面との距離、または前記積層紙の一端部と前記作業台上面との距離を調節することにより、前記積層紙の一端部が前記加圧面から突出する突出長さを調節する突出長さ調節手段を備えることを特徴とする製本器具。
【請求項６】
請求項１ないし請求項３に記載の製本器具において、
前記積層紙の他端部と前記作業台上面との距離を変更することにより、用紙サイズの異なる冊子を形成することができる用紙サイズ可変手段を備えることを特徴とする製本器具。
【請求項７】
請求項１ないし請求項３に記載の製本器具において、
前記一対の挟持部材は、
前記作業台上面と接してこの一対の挟持部材をこの作業台上面に立たせる主足部を有する本体部材と、
この本体部材により支えられるとともに、前記一対の加圧面間の隙間の増減に伴い前記本体部材への離接方向に移動する移動部材と
を有することを特徴とする製本器具。
【請求項８】
請求項７に記載の製本器具において、
前記主足部は、前記本体部材の移動部材側および反移動部材側に伸び、
反移動部材側への伸び長さをＬ、この製本器具の高さをＨとしたとき、以下の関係を満たすことを特徴とする製本器具。
Ｌ／Ｈ≧１／２０
【請求項９】
請求項１ないし請求項３に記載の製本器具において、
前記積層紙の一端部と他端部との間に形成される側面に当接することにより前記積層紙を係止するとともに、この側面を含む側端部を揃える側端整列部と、
前記加圧面と前記作業台上面との距離、または前記積層紙の一端部と前記作業台上面との距離を調節することにより、前記積層紙の一端部が前記加圧面から突出する突出長さを調節する突出長さ調節手段と、
前記積層紙の他端部と前記作業台上面との距離を変更することにより、用紙サイズの異なる冊子を形成することができる用紙サイズ可変手段とを備え、
前記一対の挟持部材は、前記作業台上面と接してこの一対の挟持部材をこの作業台上面に立たせる主足部を有する本体部材と、
この本体部材により支えられるとともに、前記一対の加圧面間の隙間の増減に伴い前記本体部材への離接方向に移動する移動部材とを有すること
を特徴とする製本器具。
【請求項１０】
請求項１ないし請求項３に記載の製本器具を用いた製本方法において、
前記積層紙の一端部を、前記突出手段により所定長さだけ前記加圧面から突出させた状態で、前記一対の加圧面で挟持させ、
前記加圧面から突出された前記積層紙の一端面を、所定の工具で擦って毛羽立たせ、
毛羽立った一端面に接着剤を塗布して前記積層紙の一端部を接合する製本方法。
【請求項１１】
請求項１０に記載の製本方法において、
前記接着剤を塗布された一端面をたたいて、前記積層紙をなす紙片間に前記接着剤を浸透させることを特徴とする製本方法。
【請求項１２】
請求項１０に記載の製本方法において、
前記一端面に塗布した接着剤が半乾きの状態で、前記一対の加圧面により前記積層紙の一端部を前記積層紙の積層方向に締め付けることを特徴とする製本方法。
【請求項１３】
請求項１ないし請求項３に記載の製本器具において、
前記一対の加圧面の背面には、加圧面をなす部材との間に中空を形成する帯状部材が取り付けられていることを特徴とする製本器具。
【請求項１４】
請求項１ないし請求項３に記載の製本器具において、
前記締付手段は、ネジおよび蝶ナットからなる締付ネジであり、前記一対の加圧面の水平方向両端に取り付けられることを特徴とする製本器具。
【手続補正２】
【補正対象書類名】明細書
【補正対象項目名】全文
【補正方法】変更
【補正の内容】
【発明の詳細な説明】
【技術分野】
【０００１】
本発明は、複数の紙片を積層してなる積層紙の一端部を接合して、冊子を形成する製本器具およびこれを用いた製本方法に関する。
【背景技術】
【０００２】
近年、ワープロや複写機の普及に伴い、学校のゼミ、趣味のサークルなどでは、数十冊以下の少ない部数の冊子を発行する機会が多くなっている。このような冊子を、ホッチキスや製本テープを用いて作ると、コストを低くすることはできるが、見栄えがよくない。しかし、製本業者に発注すると見栄えはよくなるが、部数が少ないので一冊あたりの製本コストが割高になる。一方、特許文献１には、折り丁を用いて糸綴じ製本により豪華本を作る道具が考案されているが、折り丁作製、および糸綴じには手間と熟練を要する。このため、この道具は上記のような機会に初心者が簡単に扱える道具ではない。
【０００３】
また、特許文献１の図面に記載の道具によると、補助板または締板が、積層紙の接合される一端部（背側端部）以外の全部分に当接することにより、積層紙が弛むのを防止している。しかし、背側端部以外の全部分に当接すると、用紙の側面に力を及ぼして、この側面を含む側端部を揃えることが極めて困難になる。このため、側面の見栄えをよくするためには、製本後、この側面を含む側端部を裁断して揃える必要がある。
【０００４】
また、特許文献１の図面に記載の道具によると、所定の用紙サイズよりも小さい用紙では、背側端部が補助板や締板の加圧面から突出しなくなるので、背側端部を加工することができない。逆に、所定の用紙サイズよりも大きい用紙では、補助板や締板の加圧面から突出する部分が大きくなるので、背側端部を安定して加工することができない。
【特許文献１】実公平７−２６１３４号公報
【発明の開示】
【発明が解決しようとする課題】
【０００５】
本発明の目的は、側面を含む側端部を裁断することなく綺麗に揃えるとともに、折り込んでいない用紙の無線綴じ製本が可能であって、手間と熟練が不要である製本器具およびこれを用いた製本方法を提供することにある。さらに、用紙サイズを変更しても、側面を含む側端部を綺麗に揃えることができる製本器具およびこれを用いた製本方法を提供することにある。
【課題を解決するための手段】
【０００６】
［請求項１の発明］
請求項１に記載の発明によれば、一対の加圧面を形成した一対の挟持部材が、作業台上面に垂直的に載置される。そして、一対の加圧面間の隙間に積層紙が投入される。投入された積層紙は、突出手段によって一端部または他端部が揃えられるとともに、一端部が所定長さだけ加圧面から突出される。この状態で積層紙の一端部は、締付手段により積層方向に締め付けられる。
これにより、積層紙の一端部または他端部が揃えられるとともに一端部が所定長さだけ加圧面から突出された状態で、作業台上で安定して挟持される。このため、折り込んでいない用紙または折り丁にかかわらず、積層紙の一端部の加工が容易になり、手間と熟練を要さずに接着強度が大きく、かつ見栄えのよい冊子を形成することができる。また、締付手段を緩めれば加圧面間の隙間が増えるので、積層紙の整理、取出しも容易に行うことができる。
【０００７】
また、弛み防止手段が、この積層紙に当接することにより、この積層紙の弛みを防止している。
これにより、積層紙は、一対の加圧面間の隙間に投入されても弛まないので、そのまま、締付手段で挟み込むことができる。すなわち、積層紙の腹面または背面を作業台上面に突き合わせて、積層紙を作業台上面に対し垂直に立てようとすると重力により腰折れ、すなわち弛みが生じる。このため、積層紙を一対の加圧面間に投入した後、弛みを修正する必要が生じる。しかし、弛み防止手段により弛みが防止されるので、積層紙を一対の加圧面間に投入した後、そのまま締付手段で挟み込むことができる。なお、このような効果は積層紙の一端部（背側端部）以外の大部分が加圧面より上側に配置される背揃えを行う場合に極めて有効である。
【０００８】
また、弛み防止手段は、積層紙の一端部以外の一部分に当接することにより、積層紙の弛みを防止している。
これにより、積層紙の他端部や側端部において、弛み防止手段に当接されない部分を生じさせることができる。このため、他端部に含まれる他端面や、側端部に含まれる側面をたたいたり、押したりすることができる。よって、弛み防止手段を備える製本器具でも、積層紙の他端面や側面に力を及ぼすことにより、積層紙を綺麗に整列させることができる。なお、この効果は、用紙サイズを変更して製本を行う場合に、特に有効である。すなわち、用紙サイズが小さくなっても、他端面や側面をたたいたり、押したりして積層紙を綺麗に整列させることができる（図３、図４（ａ）、および図１０参照）。
【０００９】
さらに、弛み防止手段は、一対の加圧面の水平方向一端寄りの下端縁から延設されて二股に分岐し、積層紙の一端部以外の部分に放射状に当接する挟持面を有する。
これにより、用紙サイズを変更しても、積層紙の側端部に力を及ぼすための空隙が確実に形成されるので、積層紙が弛むのを防止できるとともに、積層紙を綺麗に整列させることができる。
【００１０】
［請求項２の発明］
請求項２に記載の発明によれば、一対の挟持部材は、一対の加圧面の水平方向両端の上端縁から延設されるとともに、作業台上面に平行な平坦面が形成され、この平坦面が作業台上面に面接することにより、一対の挟持部材を作業台上面に倒立させる補助脚を有する。
これにより、一対の挟持部材を作業台上面に倒立させることができるとともに、積層紙の一端部を所定長さだけ加圧面から突出させることができるので、積層紙の背揃えなどの作業を安定して行うことができる。
【００１１】
［請求項３の発明］
請求項３に記載の発明によれば、一対の挟持部材は、一対の加圧面が作業台上面の面方向に対し平行に伸びる載置状態から９０°回転された載置状態において、作業台上面に接して一対の挟持部材を作業台上面に立たせる側縁部を有する。
これにより、一対の挟持部材を、一対の加圧面が作業台上面の面方向に対し平行に伸びる載置状態から９０°回転された載置状態で、安定して載置することができる。このため、この載置状態で安定して各種の作業を行うことができる。
【００１２】
［請求項４の発明］
請求項４に記載の発明によれば、側端整列部は、積層紙の一端部と他端部との間に形成される側面に当接することにより積層紙を係止するとともに、この側面を含む側端部を揃える。
これにより、加圧面間に積層紙を投入後、この積層紙の側端部を綺麗に整列させる作業が容易になる。
【００１３】
［請求項５の発明］
請求項５に記載の発明によれば、突出長さ調節手段が、加圧面と作業台上面との距離、または積層紙の一端部と作業台上面との距離を調節することにより、積層紙の一端部が加圧面から突出する突出長さを調節する。
これにより、所望の接着強度、積層紙の厚み、紙の特性、および接着剤の特性などに応じて、突出長さを調節することができる。
【００１４】
［請求項６の発明］
請求項６に記載の発明によれば、用紙サイズ可変手段は、積層紙の他端部と作業台上面との距離を変更することにより、用紙サイズの異なる冊子を形成することができる。
これにより、１台の製本器具で、特定サイズの冊子（例えば、Ａ４縦綴じサイズ）だけでなく、他のサイズの冊子（例えばＢ５、Ａ５縦綴じサイズなど）も形成することができる。
【００１５】
［請求項７の発明］
請求項７に記載の発明によれば、一対の挟持部材は、主足部を有する本体部材と、この本体部材により支えられるとともに、この本体部材への離接方向に移動する移動部材とを有する。そして、本体部材の主足部が作業台上面と接してこの一対の挟持部材をこの作業台上面に立たせるとともに、移動部材が一対の加圧面間の隙間の増減に伴い本体部材への離接方向に移動する。
これにより、一対の挟持部材を作業台上面に立たせたまま、締付手段による積層紙の一端部の締付を行うことができる。
【００１６】
［請求項８の発明］
請求項８に記載の発明によれば、主足部は、本体部材の移動部材側および反移動部材側に伸びている。また、反移動部材側への伸び長さをＬ、製本器具の高さをＨとしたとき、以下の関係を満たす。
Ｌ／Ｈ≧１／２０
これにより、製本器具は、締付作業その他の作業中も作業台上面に安定して立つことができる。
【００１７】
［請求項９の発明］
請求項９に記載の発明によれば、請求項１ないし６の全ての効果を備えた製本器具を提供することができる。
【００１８】
［請求項１０の発明］
請求項１０に記載の発明によれば、積層紙の一端部を突出手段により所定長さだけ加圧面から突出させた状態で一対の加圧面で挟持させ、加圧面から突出された積層紙の一端面を、所定の工具で擦って毛羽立たせ、毛羽立った一端面に接着剤を塗布して積層紙の一端部を接合する。
これにより、積層紙をなす紙片同士が、接着剤を介して強固に接合することができる。
【００１９】
［請求項１１の発明］
請求項１１に記載の発明によれば、接着剤を塗布された積層紙の一端面をたたいて、積層紙をなす紙片間に接着剤を浸透させる。
これにより、積層紙をなす紙片間への接着剤の浸透が深くなるので、さらに接着強度を増大させることができる。
【００２０】
［請求項１２の発明］
請求項１２に記載の発明によれば、積層紙の一端面に塗布した接着剤が半乾きの状態で、一対の加圧面により積層紙の一端部を積層紙の積層方向に締め付ける。
これにより、接着剤の塗布に伴って積層方向に拡大した積層紙の一端部の厚さを、元に戻すとともに接着強度を増大させることができる。
【００２１】
［請求項１３の発明］
請求項１３に記載の発明によれば、一対の加圧面の背面には、加圧面をなす部材との間に中空を形成する帯状部材が取り付けられている。
これにより、加圧面が補強されて、締付手段などによりかけられる応力が吸収されるので、加圧面の曲がり、亀裂などの損傷が防止される。
【００２２】
［請求項１４の発明］
請求項１４に記載の発明によれば、締付手段は、ネジおよび蝶ナットからなる締付ネジであり、一対の加圧面の水平方向両端に取り付けられる。
これにより、蝶ナットを回すことにより、一対の加圧面間の隙間を増減させて、積層紙の一端部を締め付けたり緩めたりすることができる。
【発明を実施するための最良の形態】
【００２３】
実施例１を用いて説明する。
【実施例１】
【００２４】
［実施例１の構成］
実施例１の製本器具１は、複数の紙片を積層してなる積層紙１０の一端部を接合して、冊子を形成する器具である。ここで、図６ないし図９に示すごとく、接着剤等で接合され背表紙１１が貼り付けられる積層紙１０の一端部を背側端部１２と呼ぶ。また、接着剤等で接合されず冊子の見開き部をなす積層紙１０の他端部を腹側端部１３と呼ぶ。さらに、背側端部１２の一部をなす積層紙１０の一端面であって、鋸状ヤスリ１４で溝１５を付けられて接着剤等を塗布される部分を背面１６と呼ぶ。また、腹側端部１３の一部をなす積層紙１０の他端面であって、見開き面を形成する部分を腹面１７と呼ぶ。なお、実施例１では背表紙１１を背面１６に貼り付ける際に、デバイダ１８を専用工具として用いる。
【００２５】
製本器具１は、図１および図２に示すごとく、積層紙１０の背側端部１２を加圧面２０により挟持する一対の挟持部材２、この挟持部材２とは別体であって突出手段の一部をなすスペーサ３、および背側端部１２を積層紙１０の積層方向に締め付ける締付手段４から構成されている。ここで突出手段とは、ヤスリがけや接着剤塗布などが施される積層紙１０の背側端部１２を所定の長さだけ、加圧面２０から突出させる手段をいう。
【００２６】
挟持部材２は、図２に示すごとく本体部材２１と移動部材２２とからなる一対の挟持部材２である。本体部材２１は、主足部２３、２４を有して、直接、作業台上面に垂直的に載置される。移動部材２２は、締付手段４を介してこの本体部材２１により支えられることにより、間接的に作業台上面に垂直的に載置される。また、この移動部材２２は、一対の加圧面２０間の隙間の増減に伴い、本体部材２１への離接方向に移動することができる。
【００２７】
この挟持部材２は、積層紙１０の背側端部１２を着脱可能に挟み込む加圧面２０と、挟持部材２を作業台上面に垂直的に載置させるとともに突出手段の一部をなす脚とを有する。なお、挟持部材２は、金属、木材、樹脂など、種々の材料により成形することができる。
【００２８】
加圧面２０は、製本器具１が作業台上面に載置されると作業台上面の面方向に対し平行に伸びる直線状をなしている（以後、作業台上面に対し平行な方向を水平方向と呼ぶ）。また、作業台上面に対し垂直な方向に所定の幅を有する帯状をなしている（以後、作業台上面に対し垂直な方向を垂直方向と呼ぶ）。この加圧面２０は、図２に示すごとく本体、移動部材２１、２２の両方に形成され、互いに向かい合うとともに一対の加圧面２０を形成している。
【００２９】
そして、図３ないし図５に示すごとく、この一対の加圧面２０間の隙間に積層紙１０が投入される。投入された積層紙１０は、締付手段４がこの隙間を狭めることにより、その積層方向に締め付けられて挟み込まれる。
【００３０】
加圧面２０の背面には、この加圧面２０を補強するための補強部材２５が取り付けられている。補強部材２５は、断面の一部が略コの字状をなす帯状部材であり、加圧面２０をなす部材との間に中空を形成している。これにより、締付手段４などによりかけられる応力が吸収され、加圧面２０の曲がり、亀裂などの損傷が防止される。
【００３１】
補強部材２５と加圧面２０をなす部材との水平方向両端には、締付手段４が加圧面２０に対し垂直に挿通される挿通穴２６が設けられている。また、本体部材２１の補強部材２５には、図４（ａ）および図５（ａ）に示すごとくバーリング加工が施されてフランジ部２７が形成され、上記の中空に内蔵されている。このフランジ部２７には、締付手段４が螺合するネジ穴（図示せず）が形成され挿通穴２６と連通している。
【００３２】
脚には、図３ないし図５に示すごとく積層紙１０の腹側端部１３を揃える腹揃えの際に作業台上面に立てられる主脚２８と、図１０に示すごとく背側端部１２を揃える背揃えの際に作業台上に立てられる補助脚２９とがある。
【００３３】
主脚２８は、図２に示すごとく本体、移動部材２１、２２両方の加圧面２０の垂直方向下端縁から延設され、互いに向かい合うとともに対をなしている。そして、挟持部材２が作業台上面に載置されると、加圧面２０と作業台上面との間に所定の距離を保持する。これにより、主脚２８は突出手段となる。すなわち、実施例１では、図４（ａ）に示すごとく、Ａ４縦綴じサイズの積層紙１０の背側端部１２を所定長さだけ加圧面２０の垂直方向上端縁から突出させることができる（以後、背側端部１２が突出している加圧面２０の端縁を突出端縁３０と呼び、背側端部１２が突出端縁３０から突出している長さを、突出長さと呼ぶ。また、用紙の長辺を背、腹側端部１２、１３とする場合を縦綴じサイズと呼び、用紙の短辺を背、腹側端部１２、１３とする場合を横綴じサイズと呼ぶ。）。なお、この場合、腹面１７は作業台上面に突き合わされ、作業台上面によって腹側端部１３が揃えられて、腹揃えが行われる。
【００３４】
この主脚２８は、図１に示すごとく、スペーサ３が挿入される切欠き３１を具備する短、長枝部３２、３３、短、長枝部３２、３３と加圧面２０の垂直方向下端縁とを連結する連結部３４、および挟持部材２を安定して立たせる主足部２３、２４からなる。
【００３５】
短、長枝部３２、３３は、図２に示すごとく、本体、移動部材２１、２２各々において連結部３４から二股に分岐した２つの枝部である。そして、互いに向かい合うとともに対をなしている。この短、長枝部３２、３３は、連結部３４が加圧面２０の水平方向の一端寄りに設けられることにより、長さが異なっている。すなわち、一方の枝部は、垂直下方、かつ加圧面２０の水平方向の一端に向かって延びる短枝部３２である。また、他方の枝部は、垂直下方、かつ加圧面２０の水平方向の他端に向かって延びる長枝部３３である（以後、加圧面２０において一端を左端、他端を右端と呼ぶ。また、左右方向はこれに従うものとする。）。これにより、短、長枝部３２、３３同士の間隔は、垂直下方に向かい水平方向に徐々に大きくなっている。
【００３６】
この短、長枝部３２、３３に、複数の切欠き３１が、短枝部３２と長枝部３３との間隔を挟むように向かい合って設けられている。この切欠き３１は、本体、移動部材２１、２２各々において同じ高さの位置に設けられ、本体、移動部材２１、２２間で互いに向かい合うとともに対をなしている。そして、この切欠き３１に、図２ないし図４に示すごとく、締付手段４による締付方向と同一方向にスペーサ３が挿入される。
【００３７】
実施例１の切欠き３１は、図４（ａ）に示すごとく、切欠き３１に挿入されたスペーサ３によってＡ４、Ｂ５、Ａ５、およびＢ６縦綴じサイズの積層紙１０の突出長さがすべて一定に保たれるような高さに設けられている。これにより、切欠き３１は用紙サイズ可変手段を構成する。用紙サイズ可変手段とは、加圧面２０間に投入された積層紙１０の腹側端部１３と作業台上面との距離を変更することにより、用紙サイズの異なる冊子を形成することができる手段である。
【００３８】
この用紙サイズ可変手段によれば、スペーサ３を挿入する切欠き３１を変更することにより、積層紙１０のサイズを変更できる。すなわち、突出長さを一定に保ちながらスペーサ３を保持する高さを変更することにより、用紙サイズの異なる冊子を形成することができる。なお、この場合、腹面１７はスペーサ３の腹面整列部３５に突き当たり、この腹面整列部３５によって腹側端部１３が揃えられて、腹揃えが行われる。
【００３９】
連結部３４は、図２に示すごとく、本体、移動部材２１、２２各々の加圧面２０の左端寄り下端から延設されている。そして、互いに向かい合うとともに対をなしている。本体部材２１の連結部３４には、図２に示すごとくその左端から加圧面２０に対し垂直となる方向に突設部３６が突設されている。
【００４０】
突設部３６の右側面は、加圧面２０および作業台上面に対して垂直な平面であり、側端整列部３７をなす。側端整列部３７とは、積層紙１０の背側端部１２と腹側端部１３との間に形成される側面の１つに当接することにより、積層紙１０を左右方向において係止するとともに、この側面を含む側端部を揃える部分である。これにより、図３または図４（ａ）に示すごとく、積層紙１０の左側面が側端整列部３７に突き当たるとともに、この左側面を含む左側端部が揃えられる。
【００４１】
なお、側端整列部３７は、挿通穴２６よりも右側に位置するように設けられている。これにより、図８（ａ）、（ｂ）に示すごとく積層紙１０の左側端部は、締付手段４と立体的に干渉することなく、側端整列部３７により揃えられる。
【００４２】
これら短、長枝部３２、３３、および連結部３４は、図３ないし図５に示すごとく加圧面２０と同一平面であって、積層紙１０の背側端部１２以外の部分を挟持する挟持面３８を有する。この挟持面３８は、互いに向かい合う一対の挟持面３８をなし、積層紙１０の弛みを防止する弛み防止手段を構成する。ここで弛み防止手段とは、加圧面２０間の隙間
に投入された積層紙１０の背側端部１２以外の一部分に当接することにより積層紙１０の弛みを防止する手段である。
【００４３】
挟持面３８は、短、長枝部３２、３３、および連結部３４に応じた形状を有している。すなわち、挟持面３８は、左右方向に所定の幅を有して、加圧面２０の左寄り下端縁から下方に延び、所定の高さで左右の枝に分岐している。この左右の枝の間隔は垂直下方に向かい左右方向に徐々に大きくなっている。これにより、挟持面３８は、積層紙１０の背側端部１２以外の一部分に放射状に当接するとともに、積層紙１０が、加圧面２０よりも下側で弛むのを防止している。
【００４４】
また、挟持面３８を放射状に分岐した枝形状にすることにより、少ない量の材料で弛み防止手段を構成することができる。さらに、加圧面２０と長枝部３３との間に空隙が形成されるので、積層紙１０の用紙サイズを変更しても、その右側端部を押したり、たたいたりすることができる。すなわち、用紙サイズを変更しても、右側端部に力を及ぼして、側端整列部３７により左側端部を綺麗に整列させることができる。
【００４５】
なお、図１０に示すごとく背揃えの場合には、積層紙１０の背側端部１２以外の大部分が加圧面２０より上側に配置されるので、積層紙１０が弛みやすい。よって、弛み防止手段としての挟持面３８は、背揃えを行う場合に極めて有効である。また、背揃えの場合には腹面１７が上側に配置されるため、挟持面３８を放射状に分岐した枝形状にすることにより、腹面１７を押したり、たたいたりすることもできる。これにより背側端部１２をさらに綺麗に整列させることができる。
【００４６】
主足部２３、２４は、各々、図２に示すごとく本体部材２１の短、長枝部３２、３３の先端に設けられている。この主足部２３、２４は、一面部が作業台上面と面接する平坦面をなす板状部である。この主足部２３、２４は、ともに本体部材２１の移動部材２２側および反移動部材２２側の両方に伸びている。さらに、図４（ａ）に示すごとく、反移動部材２２側への伸び長さをＬ、製本器具１の高さをＨとしたとき、以下の関係を満たす。
Ｌ／Ｈ≧１／２０
これにより、挟持部材２は作業台上面に安定して立つことができる。
【００４７】
短枝部３２の主足部２３は、その右側縁部３９が、側端整列部３７とともに積層紙１０の側端部を揃える機能を有する。すなわち、図１１に示すごとく、図１に示す載置状態から半時計方向に９０°回転させた載置状態では、主足部２３の右側縁部３９が側端整列部３７とともに積層紙１０の下側端部を揃える。また、主足部２３の左側縁部４０は、作業台上面に接して、挟持部材２を作業台上面に立たせる機能を有する。すなわち、図１１に示すごとく、主足部２３の左側縁部４０が加圧面２０の左側縁部４１とともに作業台上面に接して、挟持部材２を作業台上面に立たせる。これにより、実施例１では、図１１に示すごとくＡ３横綴じサイズのような大きなサイズの積層紙１０を製本することもできる。
【００４８】
補助脚２９は、加圧面２０を含む部材の一部であり、図２に示すごとく加圧面２０の突出端縁３０の左右両端部から延設された板状部である。また、補助脚２９は、本体、移動部材２１、２２の両方に向かい合って設けられている。この一対の補助脚２９は、所定長さだけ垂直上方に向かって延びたところで互いに反対向きに直角に曲げられ、作業台上面に平行な平坦面を形成している。
【００４９】
そして、この平坦面が、図１０に示すごとく挟持部材２を作業台上面に倒立させた際に、作業台上面に面接する。これにより、突出端縁３０と作業台上面との間に所定の距離を保持するとともに、挟持部材２を安定して倒立させることができる。このため、補助脚２９は、積層紙１０の背面１６を作業台上面に突き合わせて背側端部１２を揃えるとともに、所定の長さだけ突出端縁３０から突出させることができる。すなわち、補助脚２９は突出手段となる。なお、補助脚２９を突出手段として用いる場合のように背揃えを行うときは、用紙サイズ可変手段を用いなくても、用紙サイズを任意に変更して積層紙１０の背側端部１２を揃えることができる。また、用紙サイズを任意に変更しても積層紙１０の左右側面に力を及ぼして左右側端部を綺麗に整列させることもできる。
【００５０】
また、加圧面２０左端側の補助脚２９の左側縁部は、図１１に示すごとく加圧面２０の左側縁部４１の一部をなし、作業台上面に接して、挟持部材２を作業台上面に立たせる機能を有する。
【００５１】
スペーサ３は、図３および図４（ａ）に示すごとく、腹揃えを行うとともに積層紙１０の背側端部１２が所定長さだけ突出端縁３０から突出するように加圧面２０と作業台上面との間に配置される突出手段である。また、実施例１では、図２および図４（ａ）に示すごとくＢ５、Ａ５およびＢ６縦綴じサイズの積層紙１０に対応した３つのスペーサ３が備えられている。これら３つのスペーサ３は、左右方向に異なる長さを有し、各々に対応した切欠き３１に挿入できる。これにより、スペーサ３は、用紙サイズ可変手段でもある。すなわち、挟持面３８が所定の高さで左右の枝に分岐し、この左右の枝の間隔が左右方向に徐々に大きくなっているような製本器具１でも、用紙サイズの異なる冊子を形成することができる。なお、このスペーサ３は、金属、木材、樹脂など、種々の材料により成形することができる。
【００５２】
個々のスペーサ３は、図４（ｂ）に示すごとく、矩形状の板状部材が長辺方向に直角に折り曲げられて、作業台上面と平行に配置される平行部と作業台上面に垂直に配置される垂直部とに分かれる。平行部の上側の平坦面は、図４（ａ）に示すごとく積層紙１０の腹面１７が突き当たるとともに腹側端部１３が揃えられる腹面整列部３５をなしている。垂直部は、切欠き３１にスペーサ３を挿入する際に挟持部材２に係止される係止部４２をなしている。
【００５３】
平行部の腹面整列部３５の裏面には、図５（ｂ）に示すごとく、厚さが均一な薄板４３が、切欠部３１と接触する左右両端を除いて取り付けられている。この薄板４３は、突出長さを調節する突出長さ調節手段である。ここで突出長さ調節手段とは、加圧面２０と作業台上面との距離、または積層紙１０の背側端部１２と作業台上面との距離を調節することにより突出長さを調節する手段である。
【００５４】
実施例１の突出長さ調節手段では、図５（ａ）に示すごとく、スペーサ３を裏返して切欠き３１に挿入することにより、突出長さを大きくしている。すなわち、積層紙１０の背側端部１２と作業台上面との距離を調節することにより突出長さを調節している。この場合、積層紙１０の腹面１７が薄板４３の表面に突き合わされるとともに腹側端部１３が揃えられる。これにより、図１２に示すごとく積層紙１０の厚みが大きい場合や、接着強度を大きくしたい場合などに突出長さを大きくして、接着剤をより深く紙片間に浸透させることができる。
【００５５】
締付手段４は、加圧面２０間の隙間を増減させるとともに、積層紙１０の背側端部１２を積層紙１０の積層方向に締め付ける手段である。実施例１の締付手段４は、図２および図４（ａ）に示すごとく、フランジ部２７のネジ穴と螺合するとともに挿通穴２６に挿通されるネジ４４と、このネジ４４に螺合する蝶ナット４５とからなる締付ネジである。また、ネジ４４の頭部および蝶ナット４５が当接する挟持部材２側の座面には、座金４６が配されている。そして、ネジ４４に螺合した蝶ナット４５が座金４６を介して移動部材２２を本体部材２１の方に押すことにより、加圧面２０間の隙間が狭められて積層紙１０の背側端部１２が締め付けられる。
【００５６】
〔実施例１の製本方法〕
実施例１の製本方法を図面に基づいて説明する。まず、図３ないし図５に示すごとく腹揃えを行う場合には、主足部２３、２４を作業台上面に面接させるとともに、製本器具１を作業台上面に垂直的に載置する。また、所望の用紙サイズに応じたスペーサ３を切欠き３１に挿入する。この際、積層紙１０の厚みなどに応じて、スペーサ３の腹面整列部３５側または薄板４３側のいずれを上向きにして挿入するかを決めておく（以下の説明では、腹面整列部３５を上向きにしている）。
【００５７】
そして、締付手段４の蝶ナット４５を緩めて、加圧面２０間の隙間を広げ、図３に示すごとく積層紙１０をこの隙間に投入する。これにより、積層紙１０の腹面１７がスペーサ３の腹面整列部３５に突き当たり、腹側端部１３が揃えられる。また、積層紙１０の右側面を軽く押して左側面を側端整列部３７に当接させ、積層紙１０を左右方向において係止する。これにより、積層紙１０の左側端部が揃えられる。さらに背面１６および右側面を軽くたたいて振動を与えることにより、積層紙１０は、綺麗に整列される。
【００５８】
そして、蝶ナット４５を回して加圧面２０間の隙間を狭め、積層紙１０の背側端部１２を締め付ける。これにより、背側端部１２は所定長さだけ突出端縁３０から突出された状態で、挟持部材２により挟持される。
【００５９】
次に、図６に示すごとく、背側端部１２の背面１６を鋸状ヤスリ１４で擦り、１ｃｍ程度の間隔で深さ１ｍｍ程度の溝１５を付ける。これにより、背面１６を溝部１５において毛羽立たせることができる。
【００６０】
次に、図７に示すごとく、背面１６に接着剤を塗布し、爪楊枝、綿棒、または割り箸などで背面１６の全面に強く塗りこむ。また、接着剤を塗布した背面１６をたたくことにより、積層紙１０をなす紙片間に接着剤を深く浸透させることができる。そして、接着剤が半乾きの状態になるまで待機する。急ぐ場合には、ドライヤなどの熱風をあてて乾燥速度を上げてもよい。なお、接着剤には、酢酸ビニル系樹脂などの水洗可能な水溶性接着剤を用いるのが好ましい。
【００６１】
次に、図８（ａ）、（ｂ）に示すごとく、蝶ナット４５を緩めて背側端部１２を加圧面２０間に引き込む。そして、再度、蝶ナット４５を回して、背側端部１２を積層紙１０の積層方向に締め付ける。これにより、接着剤の塗布に伴って積層方向に拡大した背側端部１２の厚さを元に戻すことができる。
【００６２】
次に、図９（ａ）、（ｂ）に示すごとく、背表紙１１を背側端部１２に取り付ける。まず、図９（ｂ）に示すごとく、デバイダ１８を用いて、接着剤による接合後の背側端部１２の厚さを測る。この背側端部１２の厚さの間隔を維持したデバイダ１８で、図９（ａ）に示すごとく、背面１６に表示される文字が中央に位置するように線引きする。このデバイダ１８による引き線に沿って背表紙１１を山折する。そして、背面１６や背表紙１１の裏面などに接着剤を塗布して、背表紙１１を背側端部１２に貼り付ける。
【００６３】
以上により、製本器具１を用いて積層紙１０が製本されるとともに、冊子が形成される。
【００６４】
背揃えを行う場合には、図１０に示すごとく、製本器具１を倒立させ、積層紙１０を挟持面３８間から投入する。これにより、積層紙１０の背面１６が作業台上面に突き当たり、背側端部１２が揃えられる。そして、積層紙１０を整列させて背側端部１２を締め付けた後、製本器具１を倒立状態から戻し同様の作業を行う。なお、背揃えの場合には、背面１６における紙片の突出状態にムラがない。このため、図１２（ａ）、（ｂ）に示すごとく背面１６全体を研磨具で擦って積層紙１０を積層方向に膨らませることができる。このような研磨具には、金属性ヤスリ、グラインダ、ブラシ、軽石、砥石などを用いることができる。
【００６５】
また、Ａ３横綴じサイズのような大きなサイズの積層紙１０の製本を行う場合にも、まず製本器具１を倒立させた状態で積層紙１０を挟持面３８間および加圧面２０間投入し背揃えを行って背側端部１２を締め付ける。次に図１１に示すごとく、背側端部１２を締め付けたまま製本器具１を、倒立状態から時計方向に９０°回転させた状態で作業台上面に載置する。この場合、製本器具１は、加圧面２０の左側縁部４１および主足部２３の左側縁部４０により作業台上面に立たせられている。そして、この状態で背面１６を毛羽立たせ接着剤の塗布を行う。
【００６６】
または、積層紙１０を加圧面２０間に投入する前から、図１１に示す状態で製本器具１を作業台上面に載置しておく。そして、この状態で、積層紙１０を加圧面２０間および挟持面３８間に投入する。これにより、積層紙１０の下側端部が、側端整列部３７および主足部２３の右側縁部３９により揃えられる。そして、背面１６および腹面１７を軽く押したり、たたいたりして突出長さを調節するとともに背側端部１２を揃える。その後、背側端部１２を締め付けて背面１６の加工を行う。
【００６７】
また、図１３に示すごとく、数冊分の積層紙１０をまとめて、背側端部１２を接合した後、各冊子に分割して背表紙１１を貼り付けることもできる。
【００６８】
〔実施例１の効果〕
実施例１の製本器具１は、作業台上面に垂直的に載置することができる。そして、加圧面２０間の隙間に積層紙１０が投入されると、その腹面１７がスペーサ３の腹面整列部３５、薄板４３の表面、または作業台上面のいずれかに突き当たるとともに、その腹側端部１３が揃えられる。また、背側端部１２は、所定の突出長さだけ突出端縁３０から突出した状態になる。この状態で背側端部１２が、積層紙１０の積層方向に締め付けられる。
また、製本器具１は作業台上面に倒立することもできる。この場合には、積層紙１０の背面１６が作業台上面に突き当たるとともに背側端部１２が揃えられる。同時に背側端部１２は所定の突出長さだけ突出端縁３０から突出した状態になる。この状態で背側端部１２が、積層紙１０の積層方向に締め付けられる。
これにより、積層紙１０は、背側端部１２または腹側端部１３が揃えられるとともに背側端部１２が所定長さだけ加圧面２０から突出された状態で、作業台上面で安定して挟持される。このため、積層紙１０の背側端部１２の加工が容易になり、手間と熟練を要さずに接着強度が大きく、かつ見栄えのよい冊子を形成することができる。また、締付手段４を緩めれば加圧面２０間の隙間が増えるので、積層紙１０の整理、取出しも容易に行うことができる。
【００６９】
実施例１の製本器具１は、主脚２８の挟持面３８が、積層紙１０の背側端部１２以外の部分に当接することにより、積層紙１０の弛みを防止している。
これにより、加圧面２０間に投入された積層紙１０が重力によって弛むのを防止することができる。特に、図１０に示すごとく背揃えの場合には、背側端部１２以外の大部分が加圧面２０より上側に配置されるので、積層紙１０が弛みやすい。よって、このような挟持面３８により弛みを防止することは、背揃えを行う場合に極めて有効である。
【００７０】
さらに、この挟持面３８は、積層紙１０の背側端部１２以外の一部分に放射状に当接する。
これにより、積層紙１０の腹側端部１３や側端部において、挟持面３８に当接されない部分が生じる。このため、腹面１７や側面をたたいたり、押したりすることができる。よって、製本器具１を用いれば、挟持面３８により積層紙１０の弛みを防止できるとともに、腹面１７や側面をたたいたり、押したりすることにより、積層紙１０を綺麗に整列させることができる。この効果は、図３、図４（ａ）、および図１０に示すごとく、用紙サイズを変更して製本を行う場合にも有効である。すなわち、用紙サイズが小さくなっても、積層紙１０の腹面１７や側面をたたいたり、押したりして積層紙１０を綺麗に整列させることができる。
【００７１】
実施例１の製本器具１は、主脚２８の連結部３４から突設された突設部３６の右側面が、側端整列部３７をなす。この側端整列部３７は、積層紙１０の左側面に当接することにより、積層紙１０を係止するとともに左側端部を揃える。
これにより、積層紙１０を加圧面２０間の隙間に投入した後、積層紙１０の側端部を綺麗に整列させる作業が容易になる。
【００７２】
実施例１の製本器具１は、スペーサ３の平行部の裏面に、薄板４３が取り付けられている。そして、積層紙１０の背側端部１２と作業台上面との距離を、薄板４３の厚さだけ大きくしたり、小さくしたりすることにより、突出長さを調節することができる。
これにより、接着強度、積層紙１０の厚み、紙の特性、および接着剤の特性などに応じて、突出長さを調節することができる。
【００７３】
実施例１の製本器具１は、主脚２８の短、長枝部３２、３３に設けられた切欠き３１に、締付手段４による締付方向と同一方向にスペーサ３を挿入することができる。また、この切欠き３１は、図４（ａ）に示すごとく、切欠き３１に挿入されたスペーサ３によってＡ４、Ｂ５、Ａ５、およびＢ６縦綴じサイズの積層紙１０の突出長さがすべて一定に保たれるような高さに設けられている。そして、スペーサ３を挿入する切欠き３１を変更することにより、積層紙１０の腹側端部１３と作業台上面との距離を変更することができる。
これにより、１台の製本器具で、特定サイズの冊子（Ａ４縦綴じサイズ）だけでなく、他のサイズの冊子（Ｂ５、Ａ５、およびＢ６縦綴じサイズ）も形成することができる。
【００７４】
実施例１の製本器具１は、一対の挟持部材２が、主足部２３、２４を有する本体部材２１と、この本体部材２１により支えられるとともに、この本体部材２１への離接方向に移動する移動部材２２とを有する。そして、主足部２３、２４が、作業台上面と接してこの一対の挟持部材２を作業台上面に立たせる。また、締付手段４により移動部材２２が本体部材２１の方に押されることにより、加圧面２０間の隙間が狭められて積層紙１０の背側端部１２が締め付けられる。
これにより、一対の挟持部材２を作業台上面に立たせたまま、締付手段４による背側端部１２の締付を行うことができる。
【００７５】
実施例１の製本器具１は、主足部２３、２４が、ともに本体部材２１の移動部材２２側および反移動部材２２側の両方に伸びている。さらに、図４（ａ）に示すごとく、反移動部材２２側への伸び長さをＬ、製本器具の高さをＨとしたとき、以下の関係を満たす。
Ｌ／Ｈ≧１／２０
これにより、製本器具１は、締付作業その他の作業中も作業台上面に安定して立つことができる。
【００７６】
実施例１の製本器具１は、加圧面２０の背面に、断面の一部が略コの字状の帯状部材である補強部材２５が取付けられ、加圧面２０をなす部材との間に中空を形成している。
これにより、加圧面２０が補強されて、締付手段４などによりかけられる応力が吸収されるので、加圧面２０の曲がり、亀裂などの損傷が防止される。
【００７７】
実施例１の製本器具１は、締付手段４が、ネジ４４および蝶ナット４５からなる締付ネジであり、一対の加圧面２０の水平方向両端に取り付けられる。
これにより、蝶ナット４５を回すことにより、一対の加圧面２０間の隙間を増減させて、積層紙１０の背側端部１２を締め付けたり緩めたりすることができる。
【００７８】
実施例１の製本器具１は、一対の挟持部材２が、一対の加圧面２０が作業台上面の面方向に対し平行に伸びる載置状態から９０°回転された載置状態において、作業台上面に接して一対の挟持部材２を作業台上面に立たせる左側縁部４０、４１を有する。
これにより、一対の挟持部材２を、一対の加圧面２０が作業台上面の面方向に対し平行に伸びる載置状態から９０°回転された載置状態で、安定して載置することができる。このため、この載置状態で、背面１６の毛羽立たせ、接着剤の塗布などの各種の作業を、安定して行うことができる。
【００７９】
実施例１の製本方法によれば、積層紙１０を、その背側端部１２が所定の突出長さだけ突出端縁３０から突出した状態で挟持する。そして、突出した背面１６を鋸状ヤスリ１４で擦って溝１５を付けるとともに、背面１６を溝部１５において毛羽立たせる。この毛羽立った背面１６に接着剤を塗布して積層紙１０の背側端部１２を接合する。
これにより、積層紙１０をなす紙片同士が、接着剤を介して強固に接合することができる。
【００８０】
実施例１の製本方法によれば、接着剤を塗布された積層紙１０の背面１６をたたいて、積層紙１０をなす紙片間に接着剤を浸透させる。
これにより、積層紙１０をなす紙片間への接着剤の浸透が深くなるので、さらに接着強度を増大させることができる。
【００８１】
実施例１の製本方法によれば、積層紙１０の背面１６に塗布した接着剤が半乾きの状態で、加圧面２０により背側端部１２を積層紙１０の積層方向に締め付ける。
これにより、接着剤の塗布に伴って積層方向に拡大した背側端部１２の厚さを、元に戻すとともに接着強度を増大させることができる。
【００８２】
〔変形例〕
実施例１の製本器具１は、スペーサ３、主脚２８、および補助脚２９が突出手段であり、薄板４３が突出長さ調節手段であったが、図１４に示すような足ネジ４７または図１５に示すような帯板状のスペーサ３を突出手段に用いることもできる。
【００８３】
すなわち、図１４では、本体部材２１および移動部材２２の左右両端にネジ穴（図示せず）が設けられ、このネジ穴に足ネジ４７が螺合している。そして、挟持部材２間に投入された積層紙１０は、その背面１６が作業台上面に突き当たるとともに、所定の突出長さだけ突出端縁３０から突出した状態で作業台上面により背側端部１２が揃えられる。また、足ネジ４７をネジ穴から出し入れすることにより、加圧面２０と作業台上面との距離が調節されるとともに突出長さが調節される。これにより、ネジ４７が突出手段および突出長さ調節手段として機能する。また、この場合には、突出長さの微調整を行うこともできる。なお、この変形例では、弛み防止手段としての、挟持面３８は、放射状ではなく所定サイズの用紙よりも小さい矩形状である。
【００８４】
また、図１５では、主足部２３、２４の間に帯板状のスペーサ３が嵌挿されている。このスペーサ３は、その表裏両面に腹面整列部３５を備える。この腹面整列部３５に、積層紙１０の腹面１７が突き当たるとともに、背側端部１２が所定の長さだけ突出端縁３０から突出され、腹側端部１３が揃えられる。また、スペーサ３の左右端部には、上方に向けて延びる上桁４８、この上桁４８よりも短く下方に向けて延びる下桁４９が設けられている。このスペーサ３を、表裏、逆にして嵌挿することにより、突出長さが調節される。これにより、スペーサ３が突出手段として機能し、上桁４８および下桁４９が突出長さ調節手段として機能する。
【００８５】
実施例１の製本器具１の締付手段４では、図２に示すごとく、ネジ４４のネジ部は周方向の全てにネジ山が設けられていたが、図１６に示すごとく、一部にネジ山がない平坦面５０を設けてもよい。これにより、移動部材２２の移動に伴う挿通穴２６の内周やネジ４４のネジ山の損傷を防止することができる。
【００８６】
実施例１の製本器具１は、突出長さ調節手段としての薄板４３がスペーサ３に取り付けられていたが、薄板４３をスペーサ３に載置するようにしてもよい。この場合、薄板４３はスペーサ３に対して着脱可能となるので、厚さの異なる薄板４３を複数揃えておけば、突出長さの調節値を多くできる。
【００８７】
実施例１の製本器具１は、折り込まれていない用紙からなる積層紙１０を用いて製本を行ったが、折り丁からなる積層紙を用いて製本を行うこともできる。また、実施例１の製本器具１を用いれば、折り丁からなる積層紙の背側丸み付けや糸綴じなどの作業も安定して行うことができ、豪華本の製本にも適用できる。さらに実施例１の製本器具１を用いれば、このような豪華本の製本においても、積層紙の側端部を揃えたり、弛みを防止したり、突出長さを調節したり、用紙サイズを変更したり、一対の挟持部材２を作業台上面に立たせたまま積層紙の一端部の締付を行うことができる。
【００８８】
実施例１の製本器具１は、弛み防止手段である一対の挟持面３８が積層紙１０の背側端部１２以外の一部分に放射状に当接していたが、これに限定されるものではない。すなわち、積層紙１０の腹面１７や側面に力を及ぼすことができるように当接する形状であれば、これに限定されるものではない。例えば、格子状に当接してもよく、三角形、四角形状などの多角形状に当接してもよい。
【００８９】
実施例１の製本器具１は、主にＡ４、Ｂ５、Ａ５、Ｂ６縦綴じの腹揃えに対応できるように寸法設計されているが、用紙サイズの需要に応じて寸法を自由に設計できる。
【００９０】
実施例１の製本器具１は、締付手段４としてネジ４４や蝶ナット４５などによるネジ締め方式を用いたが、万力などを締付手段４として用いてもよい。また、圧力空気、油圧、電気などを動力源とする動力機構を締付手段４として用い、これらの動力機構を加圧面２０へリンクさせてもよい。
【００９１】
実施例１の製本器具１は、用紙サイズ可変手段としてスペーサ３と、このスペーサ３が挿入される切欠き３１を用いたが、これに限定されるものではない。すなわち、加圧面２０に対して垂直な平面を有するとともに上下動可能な部材を製本器具１に備えさせてもよい。また、この部材とリンクするとともに、この部材を上下動させる動力機構を製本器具１に備えさせてもよい。この動力機構の動力源にも、人手以外に圧力空気、油圧、電気などを用いることができる。
【００９２】
実施例１の製本器具１は、主に人手による製本を想定しているが、上記のような動力機構を備えさせることにより、製本業者などが量産に用いる製本機械への適用も可能である。この場合には、従来の製本機械で行われていた腹側端部１３や左右側端部の裁断が不要になる。すなわち、実施例１の製本器具１を用いれば、積層紙１０の腹側端部１３や左右側端部を綺麗に整列させることができるので、従来の製本機械のように腹側端部１３や左右側端部を裁断して整列させる必要がない。
【産業上の利用可能性】
【００９３】
以上のように、本発明の製本器具は、複数の紙片を積層してなる積層紙の一端部を接合して冊子を形成する製本を行うのに有用であり、手間と熟練が不要で、数十冊以下の比較的少ない部数の製本を行うのに適している。
【図面の簡単な説明】
【００９４】
【図１】実施例１の製本器具の斜視図である。
【図２】実施例１の製本器具の分解斜視図である。
【図３】実施例１の製本器具にスペーサを挿入して、腹揃えを行う状態を示す斜視図である。
【図４】（ａ）が実施例１の製本器具の用紙サイズ可変状態を示す左側面図であり、（ｂ）が実施例１のスペーサの斜視図である。
【図５】（ａ）が実施例１の製本器具の突出長さ調節状態を示す左側面図であり、（ｂ）が実施例１のスペーサの裏面を示す斜視図である。
【図６】積層紙の背面に溝を付ける工程を示す斜視図である。
【図７】積層紙の背面に接着剤を塗布する工程を示す斜視図である。
【図８】（ａ）が半乾き状態の背側端部を挟み込む工程を示す全体斜視図であり、（ｂ）が挟み込みの状態を示す部分拡大図である。
【図９】（ａ）がデバイダにより背表紙に線引きする工程を示す斜視図であり、（ｂ）がデバイダにより背側端部の厚さを測る工程を示す斜視図である。
【図１０】実施例１の製本器具を倒立して、背揃えを行う状態を示す斜視図である。
【図１１】実施例１の製本器具を９０°回転させて載置させ、製本を行う状態を示す斜視図である。
【図１２】（ａ）が研磨具により背面を毛羽立たせる工程を示す全体斜視図であり、（ｂ）が毛羽立った背面を示す部分拡大図である。
【図１３】数冊分の積層紙の背面に接着剤を塗布した後、冊子ごとに分割する工程を示す斜視図である。
【図１４】変形例の製本器具の斜視図である。
【図１５】変形例の製本器具の斜視図である。
【図１６】変形例の締付手段の分解斜視図である。
【符号の説明】
【００９５】
１  製本器具
２  挟持部材
３  スペーサ（突出手段）
４  締付手段
１０  積層紙
１２  背側端部（一端部）
１３  腹側端部（他端部）
２０  加圧面
２１  本体部材
２２  移動部材
２３、２４  主足部
２５  補強部材（帯状部材）
２９  補助脚
３１  切欠き（用紙サイズ可変手段）
３７  側端整列部
３８  挟持面
４０、４１  左側縁部（側縁部）
４３  薄板（突出長さ調節手段）
４４  ネジ
４５  蝶ナット
【国際調査報告】
2005005158.tif 000019
2005005158.tif 000020